(57)【要約】カテーテルアセンブリ（１０）が、遠位端（１４）と、近位端（１６）と、内腔を形成する内側表面（１８）とを備えるカテーテルアダプタ（１２）を含む。内腔（１８）は、近位端（１２）と遠位端（１４）の間で延びる。カテーテルアセンブリ（１０）は、カニューレ（３６）およびカニューレハブ（２０）を含む。カニューレハブ（２０）は、カテーテルアダプタ（１２）の外側に配置された外側部分（２４）と、カテーテルアダプタ（１２）内に配置された内側部分（２２）とを含み得る。カニューレは、内側部分（２２）から遠位に延びる。外側部分（２４）がカテーテルアダプタ（１２）の外側表面に沿って近位に摺動することに応答して、カニューレは、近位に、カテーテルアダプタ（１２）内に引き込まれ得る。外側部分（２４）は、近位にロック位置へ摺動するように構成され、ロック位置では、カニューレハブ（２０）がカテーテルアダプタ（１２）に対してロックされ、カニューレの遠位先端がカテーテルアダプタ（１２）内に配置される。
2020509842.tif 000002
【特許請求の範囲】
【請求項１】
遠位端、近位端、および内腔を形成する内側表面を備えるカテーテルアダプタであって、前記内腔は前記近位端と前記遠位端の間に延びる、カテーテルアダプタと、
前記カテーテルアダプタに対して遠位のロック解除位置から近位のロック位置に摺動するように構成されているカニューレハブと、
遠位先端を備えるカニューレであって、前記カニューレハブから遠位に延びる、カニューレと、
カテーテル管を前記カテーテルアダプタに結合するように構成された漏斗形状ウェッジであって、前記内腔の遠位部分内に配置される、ウェッジとを備え、
前記カニューレハブが前記ロック位置にあるとき、前記カニューレの前記遠位先端は、前記ウェッジ内に配置される、カテーテルアセンブリ。
【請求項２】
前記内腔内に配置されたセプタムをさらに備え、前記カニューレは、切込みをさらに備え、前記カニューレハブが前記ロック位置にあるとき、前記切込みは前記セプタム内に配置され、それにより流体が前記切込みきから前記内腔内に漏れることを防止する請求項１に記載のカテーテルアセンブリ。
【請求項３】
前記セプタムは、前記ウェッジに近接して配置される請求項２に記載のカテーテルアセンブリ。
【請求項４】
前記カテーテルアダプタに結合され１つまたは複数の翼を備える翼付き要素をさらに備え、前記カニューレハブが前記ロック解除位置にあるとき、前記カニューレハブの遠位端は、前記翼付き要素に近接して配置される請求項１に記載のカテーテルアセンブリ。
【請求項５】
前記カニューレハブは、前記内腔内に配置された内側部分を備え、前記内側部分は、第１のインターロック部分を備え、前記カテーテルアダプタの前記内側表面は、第２のインターロック部分を備え、前記第１のインターロック部分と前記第２のインターロック部分は、前記カニューレハブが前記ロック位置にあるときインターロックし、前記カテーテルアダプタに対する前記カニューレハブの移動を防止するように構成されている請求項１に記載のカテーテルアセンブリ。
【請求項６】
前記カニューレハブは、前記カテーテルアダプタの外側に配置され、前記カニューレハブが前記ロック位置に達するまで前記カテーテルアダプタの外側表面に沿って近位に摺動するように構成された概して円筒形の外側部分を備える請求項１に記載のカテーテルアセンブリ。
【請求項７】
前記ウェッジは、金属から構築される請求項１に記載のカテーテルアセンブリ。
【請求項８】
遠位端、近位端、および内腔を形成する内側表面を備えるカテーテルアダプタであって、前記内腔は前記近位端と前記遠位端の間に延びる、カテーテルアダプタと、
前記カテーテルアダプタに対して遠位のロック解除位置から近位のロック位置に摺動するように構成されているカニューレハブと、
遠位先端、細長い管状シャフト、および前記管状シャフトによって形成された内側内腔を備えるカニューレであって、前記管状シャフトは切込みを備え、前記カニューレハブから遠位に延びる、カニューレと、
前記内腔内に配置されたセプタムであって、前記カニューレハブが前記ロック位置にあるとき、前記切込みは前記セプタム内に配置され、それにより流体が前記切込みから前記内腔内に漏れることを防止する、セプタムと
を備えるカテーテルアセンブリ。
【請求項９】
前記カニューレハブは、前記内腔内に配置された内側部分を備え、前記内側部分は、係合部分を備え、前記カテーテルアダプタの前記内側表面は、受取り部分を備え、前記係合部分と前記受取り部分は、前記カニューレハブが前記ロック位置にあるとき共に結合され、前記カニューレハブが前記ロック位置にあるとき、前記カニューレの前記遠位先端は、前記カテーテルアダプタ内に配置される請求項８に記載のカテーテルアセンブリ。
【請求項１０】
前記カニューレハブは、前記内腔内に配置された内側部分を備え、前記内側部分は、受取り部分を備え、前記カテーテルアダプタの前記内側表面は、係合部分を備え、前記係合部分と前記受取り部分は、前記カニューレハブが前記ロック位置にあるとき共に結合され、前記カニューレハブが前記ロック位置にあるとき、前記カニューレの前記遠位先端は、前記カテーテルアダプタ内に配置される請求項８に記載のカテーテルアセンブリ。
【請求項１１】
漏斗形状ウェッジと、前記漏斗形状ウェッジに接続されたカテーテル管とをさらに備え、前記漏斗形状ウェッジは、前記カテーテルアダプタの前記内腔の遠位部分内に摩擦でくさび留めされ、前記カニューレハブが前記ロック位置にあるとき、前記カニューレの前記遠位先端は、前記ウェッジ内に配置される請求項８に記載のカテーテルアセンブリ。
【請求項１２】
前記セプタムは、前記ウェッジに近接し前記ウェッジの近位にある請求項８に記載のカテーテルアセンブリ。
【請求項１３】
前記カテーテルアダプタに結合され１つまたは複数の翼を備える翼付き要素をさらに備え、前記カニューレハブが前記ロック解除位置にあるとき、前記カニューレハブの遠位端は、前記翼付き要素に近接して配置される請求項８に記載のカテーテルアセンブリ。
【請求項１４】
前記カニューレハブは、前記カテーテルアダプタの外側に配置され、前記カニューレハブが前記ロック位置に達するまで前記カテーテルアダプタの外側表面に沿って近位に摺動するように構成された外側部分を備える請求項８に記載のカテーテルアセンブリ。
【請求項１５】
遠位端、近位端、および内腔を形成する内側表面を備えるカテーテルアダプタであって、前記内腔は前記近位端と前記遠位端の間に延びる、カテーテルアダプタと、
遠位先端を備えるカニューレと、
前記カテーテルアダプタの外側に配置された外側部分、および前記カテーテルアダプタ内に配置された内側部分を備えるカニューレハブであって、前記カニューレは、前記内側部分から遠位に延び、前記カニューレハブの前記外側部分が前記カテーテルアダプタの外側表面に沿って近位に摺動することに応答して、前記カニューレは、近位に、前記カテーテルアダプタ内に引き込まれ、前記カニューレハブの前記外側部分は、近位にロック位置へ摺動するように構成され、前記ロック位置では、前記カニューレハブが前記カテーテルアダプタに対してロックされ、前記遠位先端が前記カテーテルアダプタ内に配置される、カニューレハブと
を備えるカテーテルアセンブリ。
【請求項１６】
前記カニューレハブの前記外側部分は、概して円筒形である請求項１５に記載のカテーテルアセンブリ。
【請求項１７】
前記外側部分は、ユーザによって把持されるように構成されたグリップを備える請求項１５に記載のカテーテルアセンブリ。
【請求項１８】
前記カニューレは、細長い管状シャフト、および前記管状シャフトによって形成された内側内腔をさらに備え、前記管状シャフトは、切込み、および前記内腔内に配置されたセプタムを備え、前記カニューレハブが前記ロック位置にあるとき、前記切込みは前記セプタム内に配置され、それにより流体が前記切込みから前記内腔内に漏れることを防止する請求項１５に記載のカテーテルアセンブリ。
【請求項１９】
漏斗形状ウェッジと、前記漏斗形状ウェッジに接続されたカテーテル管とをさらに備え、前記漏斗形状ウェッジは、前記カテーテルアダプタの前記内腔の遠位部分内に摩擦でくさび留めされ、前記カニューレハブが前記ロック位置にあるとき、前記カニューレの前記遠位先端は、前記ウェッジ内に配置される請求項１８に記載のカテーテルアセンブリ。
【請求項２０】
前記セプタムは、前記ウェッジに近接し前記ウェッジの近位にある請求項１９に記載のカテーテルアセンブリ。
【発明の詳細な説明】
【背景技術】
【０００１】
静脈内（ＩＶ）カテーテルアセンブリは、様々なタイプの脈管アクセスデバイスのうちである。留置針周辺（Over-the-needle peripheral）ＩＶカテーテルが一般的なＩＶカテーテル構成である。その名前が示唆するように、留置針カテーテルは、鋭利な遠位先端を有する誘導針の上に装着され得る。誘導針は、針を案内する助けとなるように、またカテーテルとそれが協働するのを容易にするように針アセンブリに結合された皮下注射針でもあってもよい。カテーテルの遠位部分の少なくとも内側表面は、カテーテルのめくれを防止し、それにより血管内にカテーテルを挿入するのを容易にするために、誘導針の外側表面にしっかり係合し得る。カテーテルおよび誘導針は、誘導針の遠位先端がカテーテルの遠位先端を越えて延びるように組み立てられ得る。さらに、カテーテルおよび誘導針は、挿入中、誘導針の斜面が患者の皮膚から離れて上を向くように組み立てられ得る。カテーテルおよび誘導針は、浅い角度で皮膚を通って血管内に挿入され得る。
【０００２】
血管内の誘導針および／またはカテーテルの適正な配置を検証するために、ユーザは、針アセンブリに関連付けられたフラッシュバックチャンバ内への血液の「フラッシュバック」があることを確認してもよい。フラッシュバックは、一般に、少量の血液が表れることを伴い、それは針アセンブリ内または誘導針とカテーテルの間に見える。血管内にカテーテルの遠位先端が適正に配置されたことが確認したら、ユーザは、誘導針およびカテーテルの遠位で血管の上の皮膚を押下することによって、血管に圧力を加えてもよい。この指の圧力は、血管を一時的に閉塞し、誘導針およびカテーテルを通るさらなる血流を低減し得る。
【０００３】
次いで、ユーザは、誘導針をカテーテルから引き抜いてもよい。誘導針は、遠位先端の上に延び、不慮の針刺しを防止する針先端カバーまたは針カバー内に引き込まれ得る。一般に、針先端カバーは、誘導針がカテーテルおよび患者から引き抜かれるとき遠位先端を捕らえる、または取り込むように設計されるケーシング、スリーブ、または他の同様のデバイスを含み得る。誘導針が引き抜かれた後、カテーテルは、定位置に残され、患者への静脈内アクセスを提供し得る。
【０００４】
カテーテルアセンブリのカテーテル部分から誘導針アセンブリを分離することは、ユーザおよびそのエリア内の他者に対して多数の潜在的な危険をもたらす。上記のように、遠位先端が適正に固定されていない場合、不慮の針刺しのリスクがある。さらに、誘導針は、患者の脈管系内で血液と接触していたので、誘導針の外部ならびに誘導針の内腔内側に血液が存在し得る。誘導針がカテーテルから引き抜かれるとき、血液が遠位先端から落ち、または他の表面と接触し、人および機器を血液にさらすリスクがある。
【０００５】
さらに、誘導針をカテーテルアセンブリから引き抜くことは針アセンブリの各部にエネルギーを与え得ることが観察されている。たとえば、誘導物の引き抜き中、曲げ力が（非意図的または意図的に）誘導針に加えられ得る。誘導針に対する曲げ力は、針がカテーテルアセンブリから自由になり蓄えられていたエネルギーを解放するために振動し震えるとき、血液を誘導針からまき散らす、または飛ばすことがある。したがって、当技術分野では、高い針安全性を有するカテーテルアセンブリを提供するデバイス、システム、および方法が求められている。
【発明の概要】
【０００６】
本開示は、一般的に静脈内カテーテルアセンブリおよび関連のデバイス、システム、および方法に関する。いくつかの実施形態では、カテーテルアセンブリは、注入および／または血液収集のために使用され得る。いくつかの実施形態では、カテーテルアセンブリは、カテーテルアダプタを含み得、カテーテルアダプタは、遠位端と、近位端と、内腔を形成する内側表面とを含み得る。いくつかの実施形態では、内腔は、カテーテルアダプタの近位端と遠位端の間に延び得る。
【０００７】
いくつかの実施形態では、カテーテルアセンブリは、カニューレハブを含み得、カニューレハブは、カテーテルアダプタに対して遠位のロック解除位置から近位のロック位置に摺動するように構成され得る。いくつかの実施形態では、カニューレハブは、内側部分および／または外側部分を含み得る。いくつかの実施形態では、外側部分は、内側部分を少なくとも部分的に取り囲み得る。いくつかの実施形態では、内側部分は、カテーテルアダプタの内腔内に配置され得る。
【０００８】
いくつかの実施形態では、内側部分は、第１のインターロック部分を含み得、カテーテルアダプタの内側表面は、第２のインターロック部分を含み得る。いくつかの実施形態では、カニューレハブがロック位置にあるとき、第１のインターロック部分と第２のインターロック部分は、共にインターロックし、または結合され得、これは、カテーテルアダプタに対するカニューレハブの移動を防止し得る。いくつかの実施形態では、カニューレハブがロック解除位置にあるとき、第１のインターロック部分と第２のインターロック部分は結合解除され得、これは、カテーテルアダプタの長手方向軸と位置合わせされる方向でカテーテルアダプタに対するカニューレハブの移動を可能にし得る。
【０００９】
いくつかの実施形態では、第１のインターロック部分は、受取り部分を含み得、第２のインターロック部分は、係合部分を含み得る。代わりに、いくつかの実施形態では、第１のインターロック部分が係合部分を含んでもよく、第２のインターロック部分が受取り部分を含んでもよい。いくつかの実施形態では、受取り部分は、１つまたは複数の溝を含み得、係合部分は、１つまたは複数の対応する突起を含み得る。いくつかの実施形態では、係合部分および受取り部分は、カニューレハブがロック位置にあるとき共にインターロックし、または結合され得る。いくつかの実施形態では、カニューレは、カニューレハブがロック位置にあるとき、カテーテルアダプタ内に全体的に配置され得る。
【００１０】
いくつかの実施形態では、カテーテルアセンブリは、カニューレを含み得、カニューレは、遠位先端を含み得る。いくつかの実施形態では、カニューレは、細長い管状シャフトと、細長い管状シャフトによって形成される内側内腔とを含み得る。いくつかの実施形態では、管状シャフトは、切込みを含み得、切込みは、最初に刺入しやすくさせ、血液フラッシュバックの観察を可能にし得る。いくつかの実施形態では、カニューレは、カニューレハブから遠位に延び得る。さらに詳細には、いくつかの実施形態では、カニューレは、カニューレハブの内側部分から遠位に延び得る。
【００１１】
いくつかの実施形態では、カニューレハブの外側部分は、概して円筒形であり、および／またはカテーテルアダプタの外側に配置され得る。いくつかの実施形態では、外側部分は、カニューレハブがロック位置に達するまでカテーテルアダプタの外側表面に沿って近位に摺動するように構成され得る。いくつかの実施形態では、カニューレハブの外側部分がカテーテルアダプタの外側表面に沿って近位に摺動することに応答して、カニューレは、近位に、カテーテルアダプタ内に引き込まれ得る。いくつかの実施形態では、カニューレハブの外側部分は、近位に、カニューレハブがカテーテルアダプタに対してロックされ得るロック位置へ摺動するように構成され得、カニューレがカテーテルアセンブリから外れることを防止し、針刺し傷害のリスクを低減し、カテーテルアセンブリの再使用をさせない。いくつかの実施形態では、カニューレハブがロック位置にあるとき、遠位先端は、カテーテルアダプタ内に配置され得、針刺し傷害のリスクも低減させる。いくつかの実施形態では、カニューレハブの外側部分は、グリップを含み得、グリップは、カテーテルアセンブリが患者の血管内に挿入されるとき、ユーザによって把持されるように構成され得る。いくつかの実施形態では、カニューレハブは、ユーザがグリップを把持し、カニューレハブの外側部分をロック位置に摺動させたとき、ロック位置に摺動され得る。
【００１２】
いくつかの実施形態では、カテーテルアセンブリは、漏斗形状であり得るウェッジを含み得る。いくつかの実施形態では、ウェッジは、金属から構築され得る。いくつかの実施形態では、カテーテルアセンブリのカテーテル管は、ウェッジに接続され得る。いくつかの実施形態では、ウェッジは、カテーテル管をカテーテルアダプタに結合するように構成され得る。いくつかの実施形態では、ウェッジは、内腔の遠位部分内に配置され得る。いくつかの実施形態では、ウェッジは、内腔の遠位部分内に摩擦でくさび留めされ得る。いくつかの実施形態では、カニューレハブがロック位置にあるとき、カニューレの遠位先端は、ウェッジ内に配置され、これにより、遠位先端でカテーテル管が削れることを防止し得る。
【００１３】
いくつかの実施形態では、カテーテルアセンブリは、セプタムを含み得、セプタムは、カテーテルアダプタの内腔内に配置され得る。いくつかの実施形態では、セプタムは、ウェッジに近接する、および／またはウェッジの近位にあり得る。いくつかの実施形態では、カニューレが引き込まれ、カニューレハブがロック位置にあるとき、くぼみは、セプタム内に配置され得、これは、流体が切込みから、および／またはカテーテルアダプタの内腔内に漏れるのを防止し得る。
【００１４】
いくつかの実施形態では、カテーテルアセンブリは、安全翼付き血液収集セットを含み得る。これらおよび他の実施形態では、カテーテルアセンブリは、翼付き要素を含み得、翼付き要素は、カテーテルアダプタに結合され得る。いくつかの実施形態では、翼付き要素は、１つまたは複数の翼を含み得、翼は、カテーテルアダプタから外向きに延び得、患者の皮膚に固定され得る。いくつかの実施形態では、カニューレハブがロック解除位置にあるとき、カニューレハブの遠位端は、翼付き要素に近接または当接して配置され得る。いくつかの実施形態では、翼付き要素は、カニューレハブのための止め具として働き得、カニューレハブに接触し、カニューレハブが翼付き要素を越えて摺動するのを防止する。いくつかの実施形態では、カテーテル管は、翼付き要素を有するカテーテルアセンブリが患者の血管内に挿入されるとき、患者の快適さを改善し得る。
【図面の簡単な説明】
【００１５】
本発明の上記および他の特長および利点が容易に理解されるように、簡単に上述したカニューレ安全機構を有するカテーテルアセンブリのより具体的な説明を、添付の図に示されている特定の実施形態を参照して行う。これらの図は、典型的な実施形態を示すにすぎず、したがってその範囲を限定するものと考えられるべきでないことを理解して、本発明について、添付の図の使用を通じて、追加の特殊性および詳細と共に述べ、説明する。
【００１６】
【図１】いくつかの実施形態によるロック解除位置にあるカニューレハブを示す例示的なカテーテルアセンブリの上部斜視図である。
【図２】いくつかの実施形態によるロック解除位置にあるカニューレハブを示す図１のカテーテルアセンブリの断面図である。
【図３】いくつかの実施形態によるロック位置にあるカニューレハブを示す図１のカテーテルアセンブリの上部斜視図である。
【図４】いくつかの実施形態によるロック位置にあるカニューレハブを示す図１のカテーテルアセンブリの断面図である。
【図５】いくつかの実施形態によるロック位置にあるカニューレハブを示す図１のカテーテルアセンブリの一部分の拡大断面図である。
【発明を実施するための形態】
【００１７】
記載されている本発明の現在の好ましい実施形態は、同様の部分が全体を通して同様の符号によって指定されている図１〜図５を参照することによって最もよく理解される。本開示における図１〜図５に全体的に記載され示されている本発明の構成要素は多種多様な異なる構成で配置および設計することができることは、容易に理解されよう。したがって、カテーテルアセンブリ、ならびに関連のデバイス、システム、および方法の実施形態の以下のより詳細な説明は、特許請求されている本発明の範囲を限定することは意図されておらず、本発明のいくつかの実施形態を表すものにすぎない。
【００１８】
本開示は、一般に、カテーテルアセンブリ、ならびに関連のデバイス、システム、および方法に関する。図１〜図２を参照すると、いくつかの実施形態では、カテーテルアセンブリ１０は、カテーテルアダプタ１２を含み得、カテーテルアダプタ１２は、遠位端１４と、近位端１６と、内腔を形成する内側表面１８とを含み得る。いくつかの実施形態では、内腔は、カテーテルアダプタ１２の近位端１６と遠位端１８の間に延び得る。
【００１９】
いくつかの実施形態では、カテーテルアセンブリ１０は、カニューレハブ２０を含み得、カニューレハブ２０は、カテーテルアダプタ１２に対して図１〜図２に示されている遠位のロック解除位置から、図３〜図５に示されている近位のロック位置に摺動するように構成され得る。いくつかの実施形態では、カニューレハブ２０は、内側部分２２および／または外側部分２４を含み得る。いくつかの実施形態では、内側部分２２は、カテーテルアダプタ１２の内腔内に少なくとも部分的に配置され得る。
【００２０】
いくつかの実施形態では、カニューレハブ２０の内側部分２２は、第１のインターロック部分を含み得、カテーテルアダプタ１２の内側表面１８は、第２のインターロック部分を含み得る。いくつかの実施形態では、カニューレハブ２０がロック解除位置にあるとき、第１のインターロック部分と第２のインターロック部分は結合解除され得、これは、カテーテルアダプタ１２の長手方向軸３０と位置合わせされる方向でカテーテルアダプタ１２に対するカニューレハブ２０の移動を可能にし得る。いくつかの実施形態では、第１のインターロック部分は、１つまたは複数の溝２６を含み得、第２のインターロック部分は、１つまたは複数の対応する突起２８を含み得る。それに加えて、または代替として、いくつかの実施形態では、第１のインターロック部分が１つまたは複数の突起２８を含んでもよく、第２のインターロック部分が１つまたは複数の溝２６を含んでもよい。
【００２１】
いくつかの実施形態では、カテーテルアセンブリ１０は、漏斗形状であり得るウェッジ３２を含み得る。いくつかの実施形態では、カテーテルアセンブリ１０のカテーテル管３４は、ウェッジ３２に結合され得る。たとえば、ウェッジ３２のネック部分が摩擦嵌めまたは締まり嵌めでカテーテル管３４の近位端内に挿入されてもよい。いくつかの実施形態では、ウェッジ３２とカテーテル管３４は、一体形成されてもよい。いくつかの実施形態では、ウェッジ３２は、カテーテル管３４をカテーテルアダプタ１２に結合するように構成されてもよい。いくつかの実施形態では、ウェッジ３２は、内腔の遠位部分内に摩擦でくさび留めされてもよい。
【００２２】
いくつかの実施形態では、カテーテルアセンブリ１０は、誘導針であってもよいカニューレ３６を含み得る。いくつかの実施形態では、カニューレ３６は、鋭利な遠位先端３８を含み得る。いくつかの実施形態では、ウェッジ３２は、遠位先端３８によってカテーテル管３４が削れるのを防止するために、金属、プラスチック、または別の剛性材料から構築されてもよい。いくつかの実施形態では、カニューレ３６は、細長い管状シャフトと、細長い管状シャフトによって形成される内側内腔とを含み得る。いくつかの実施形態では、管状シャフトは、切込み４０を含み得、切込み４０は、最初に刺入しやすくさせ得る。いくつかの実施形態では、カニューレ３６は、カニューレハブ２０から遠位に延び得る。いくつかの実施形態では、カニューレ３６は、カニューレハブ２０の内側部分２２に結合され、そこから遠位に延びてもよい。いくつかの実施形態では、カテーテルアセンブリ１０の流体通路がカニューレハブ２０の内側部分２２およびカニューレ３６を通って延び得る。いくつかの実施形態では、内側部分２２は、配管（図示せず）に結合され得、配管は、流体通路の一部となり得る。
【００２３】
いくつかの実施形態では、カテーテルアセンブリ１０は、セプタム４２を含み得、セプタム４２は、カテーテルアダプタ１２の内腔内に配置され得る。いくつかの実施形態では、セプタム４２は、ウェッジ３２の近位にあり得る。いくつかの実施形態では、セプタム４２は、ウェッジ３２に近接し接触してもよく、これは、カニューレハブ２０がロック位置にあるとき、切込み４０との位置合わせを容易にし得る。いくつかの実施形態では、セプタム４２は、予め切り込まれた１つまたは複数のスリットを含んでもよく、セプタム４２は、スリットなしでもよい。いくつかの実施形態では、セプタム４２は、弾性材料から構築され得る。いくつかの実施形態では、セプタム４２は、シリコンおよび／またはポリテトラフルオロエチレンから構築されてもよい。
【００２４】
いくつかの実施形態では、カテーテルアセンブリ１０は、翼付き要素４４を含み得、翼付き要素４４は、カテーテルアダプタ１２に結合され得る。いくつかの実施形態では、翼付き要素４４は、カテーテルアダプタ１２の外部周りに延び得る。いくつかの実施形態では、翼付き要素４４は、１つまたは複数の翼４６を含み得、翼４６は、カテーテルアダプタ１２から外向きに延び得る。いくつかの実施形態では、カニューレハブ２０がロック解除位置にあるとき、カニューレハブ２０の遠位端は、翼付き要素４４に近接して配置され得る。いくつかの実施形態では、翼付き要素４４は、カニューレハブ２０のための止め具として働き得、カニューレハブ２０に接触し、カニューレハブ２０が翼付き要素４４を越えて遠位に摺動するのを防止する。それに加えて、または代替として、いくつかの実施形態では、内側部分２２と外側部分２４の間の１つまたは複数の接合部４８が、カニューレハブ２０の遠位移動を制限してもよい。いくつかの実施形態では、カテーテル管３４は、翼付き要素４４を有するカテーテルアセンブリ１０が患者の血管内に挿入されるとき、患者の快適さを改善し得る。
【００２５】
次に図３〜図５を参照すると、いくつかの実施形態では、カニューレハブ２０がロック位置にあるとき、第１のインターロック部分と第２のインターロック部分は、共にインターロックし、または結合され得、これは、カテーテルアダプタ１２に対するカニューレハブ２０の移動を防止し得る。いくつかの実施形態では、第１のインターロック部分は、受取り部分を含み得、第２のインターロック部分は、係合部分を含み得る。代わりに、いくつかの実施形態では、第１のインターロック部分が係合部分を含んでもよく、第２のインターロック部分が受取り部分を含んでもよい。いくつかの実施形態では、受取り部分は、１つまたは複数の溝２６を含み得、係合部分は、溝２６に対応する１つまたは複数の突起２８を含み得る。いくつかの実施形態では、係合部分および受取り部分は、カニューレハブ２０がロック位置にあるとき共にインターロックし、または結合され得る。いくつかの実施形態では、カニューレ３６は、カニューレハブ２０がロック位置にあるとき、カテーテルアダプタ１２内に全体的に配置され得る。
【００２６】
いくつかの実施形態では、カニューレハブ２０が図３〜図５に示されているロック位置にあるとき、カニューレ３６の遠位先端３８は、ウェッジ３２内に配置され得、これは、遠位先端３８によってカテーテル管３４が削れるのを防止し得る。いくつかの実施形態では、カニューレハブ２０がロック位置にあるようにカニューレ３６が近位に、カテーテルアダプタ１２内に引き込まれるとき、切込み４０は、セプタム４２内に配置され得、これは、流体が切込み４０から、および／またはカテーテルアダプタ１２の内腔内に漏れるのを防止し得る。いくつかの実施形態では、切込み４０は、切込みがセプタム４２によって封止または遮断されていない場合、流体通路を通って移動する流体が切込み４０を通ってカニューレ３６を出られるように、流体通路と流体連通し得る。
【００２７】
いくつかの実施形態では、ロック位置において特定の溝２６が特定の突起２８に係合するように構成され得る。たとえば、特定の溝２６は、スナップ嵌めまたは締まり嵌めで特定の突起２８に係合してもよい。図１および図３に示されているように、いくつかの実施形態では、特定の溝２６は、内側部分２２の外側表面から外向きに延び得る、カニューレハブ２０の内側部分２２の２つの突起５０間に形成され得る。いくつかの実施形態では、２つの突起５０は、カテーテルアダプタ１２の内側表面１８に接触し得、これは、内腔内で内側部分２２を支持し得る。いくつかの実施形態では、特定の突起２８は、内側部分２２の外側表面に接触し得、これは、内腔内で内側部分２２を支持し得る。いくつかの実施形態では、外側部分２４の内側表面は、第１のインターロック部分を含み得、カテーテルアダプタ１２の外側表面は、第２のインターロック部分を含み得る。
【００２８】
いくつかの実施形態では、外側部分２４は、内側部分２２を少なくとも部分的に取り囲み得る。いくつかの実施形態では、内側部分２２は、カテーテルアダプタ１２の内腔内に少なくとも部分的に配置され得る。いくつかの実施形態では、カニューレハブ２０の外側部分２４は、概して円筒形であり、および／またはカテーテルアダプタ１２の外側に配置され得る。
【００２９】
いくつかの実施形態では、外側部分２４は、カニューレハブ２０がロック位置に達するまでカテーテルアダプタ１２の外側表面に沿って近位に摺動するように構成され得る。いくつかの実施形態では、カニューレハブ２０の外側部分２４がカテーテルアダプタ１２の外側表面に沿って近位に摺動することに応答して、カニューレ３６は、近位に、カテーテルアダプタ１２内に引き込まれ得る。いくつかの実施形態では、カニューレハブ２０の外側部分２４は、近位に、カニューレハブ２０がカテーテルアダプタ１２に対してロックされ得るロック位置へ摺動するように構成され得、カニューレ３６がカテーテルアセンブリ１２から外れることを防止し、針刺し傷害のリスクを低減させ、カテーテルアセンブリ１２の再使用をさせない。いくつかの実施形態では、カニューレハブ２０がロック位置にあるとき、遠位先端３８は、カテーテルアダプタ１２内に配置され得、針刺し傷害のリスクも低減させる。いくつかの実施形態では、カニューレハブ２０の外側部分２４は、グリップ５２を含み得、グリップ５２は、カテーテルアセンブリ１２が患者の血管内に挿入されるとき、ユーザによって把持されるように構成され得る。いくつかの実施形態では、グリップ５２は、把持を容易にするために、１つまたは複数のリブまたは他の突起を含んでもよい。
【００３０】
いくつかの実施形態では、カニューレハブ２０は、ユーザがグリップを把持し、カニューレハブ２０の外側部分２４をロック位置に摺動させたとき、ロック位置に摺動され得る。いくつかの実施形態では、ロック位置は、受動的に作動されてもよい。さらに詳細には、いくつかの実施形態では、カニューレハブ２０は、受動的にロック位置に摺動し得、カテーテル導入時に通常使用されるもの以外に追加のステップを必要としない。いくつかの実施形態では、カニューレハブ２０がロック解除位置とロック位置の間にあるとき、カニューレハブ２０はカテーテルアダプタ１２に沿って近位または遠位に自由に移動し得、これは、たとえばカニューレ３６を覆う間など、遠位先端３８を調整することを可能にし得る。
【００３１】
本発明は、本明細書に広く記載され以下で特許請求されているその構造、方法、または他の本質的な特徴から逸脱することなしに、他の特定の形態で実施され得る。たとえば、カテーテルアセンブリ１０は、任意の数のインターロック部分を含んでもよく、これは、カテーテルアダプタ１２とカニューレハブ２０の間での移動を防止することができる任意の様々な機構を含んでもよいことを理解されたい。別の例として、カニューレハブ２０は、１つまたは複数のアダプタもしくはコネクタを含んでもよく、および／または配管に結合されてもよく、これは、別のデバイスがカテーテルアセンブリ１０に接続されることを可能にし得る。記載されている実施形態および例は、あらゆる点で例示的なものにすぎず、制限するものではないと考えられるべきである。したがって、本発明の範囲は、前述の説明によってではなく、添付の特許請求の範囲によって示される。特許請求の範囲の均等性の意味および範囲内に入るすべての変更が、それらの範囲内に包含されるべきである。
【図１】
2020509842.tif 000003
【図２】
2020509842.tif 000004
【図３】
2020509842.tif 000005
【図４】
2020509842.tif 000006
【図５】
2020509842.tif 000007
【国際調査報告】
2020509842.tif 000008
2020509842.tif 000009
2020509842.tif 000010